(57)【要約】【課題】  本発明は、従来の鮮魚水槽に本発明の水汚れ防止装置を任意の場所に設置することで、水槽内に酸素供給する事により急速に発生する水垢等の汚れ成分を磁力により固形化し沈澱させ、沈澱した固形物は水に溶解しにくく、除去し易いため鮮魚水槽内の水の濁りが防止でき、常に透明で綺麗な水が保持でき水に対する酸素供給の効果を増進し、水槽水交換の頻度を大きく変えることができ、鮮魚の維持保存並びに衛生上も優れもので安全、安心な天然素材のエコ装置を提供するものである。【解決手段】  ピュアド−ラ水槽用の水の汚れ防止装置は、鮮魚による汚染しやすい微粒子排泄物等を磁力の反応により固形化し、溶解しにくい状態を創り除去しやすい物体に形成するため鮮魚の保持に役立つ。【選択図】図１
2010201407.tif 000002
【特許請求の範囲】
【請求項１】
淡水魚及び海水魚介類の保存水槽に投入し、据え置くだけで魚類の移動及び酸素供給装置により水の対流を利用し、水の汚れ成分を固形化し沈澱させ除去できる動力源を不要とした水の汚れ防止エコ装置及びその装置の設置方法。
【請求項２】
ステンレス綾織網又は樹脂製で頭部を帽子状或いは平坦にした茶筒型の蓋と、下部受け円筒で構成され、汚れ落としは、水槽から取り出し水洗いすれば充分な効果が出て、消耗することなく繰り返し使うことができる請求項１記載の装置収納ケ−ス。
【請求項３】
押さえリング、強力磁力伝達板、磁石の４部位をボルトで緊結し組み立て、１段を強力磁力伝達板と磁石を組み合わせ、２段以上水槽の大きさにより、組み合わせ段数を任意に決めることができる強力磁力装置で、請求項１〜２記載の水の汚れ防止並びに水槽内面藻類付着防止装置。
【発明の詳細な説明】
【発明の詳細な説明】
【発明の属する分野】
【０００１】  本発明は、図１の従来から使用している淡水魚及び海水魚貝類水槽における鮮魚保存等に用いる水槽水が魚の排泄物微粒子が汚れ成分となり、水槽のガラス面にたちまち付着し水の汚れを早めるが、本装置により水槽内の水に磁気を帯びさせることにより水の魚から排泄された微粒子汚れ成分は固形化され水槽内に沈澱する。沈澱した汚れ固形分は容易に溶解されることなく水槽内から取り出すことができ、醜い水槽の水汚れ及びガラス面の汚れの心配が解消でき、清潔が保持できて動力源を不要としたエコ製品で、安全で安心の水槽内水の汚れ防止装置並びにその装置設置方法に関する。
【背景技術】
【０００２】  水槽内の魚貝類の排泄物が微粒化し、水槽の水が汚れ、ガラス面に汚れが付着してしまい水槽内部の魚貝類に悪影響を与えるため、水の汚れやガラス面が汚れた場合は、常に水槽の水を入れ替え、その都度水槽全体の洗浄を行い清潔保ち、酸素供給を行い魚貝類の鮮度を保持している。
当該発明の属する分野にある従来の技術を記載します。
【特許文献１】  特開２００５−２３８０５８号公報
【特許文献２】  特開２００４−３５８４４１号公報
【特許文献３】  特開２００３−０４７９６７号公報
【特許文献４】  特開２００２−１２６７５１号公報
【特許文献５】  特開２００２−０３５７５９号公報
【特許文献６】  特開平１１−３１９８４３号公報
【特許文献７】  特開平１０−３１４７４９号公報
【発明が解決しようとする課題】
【０００３】  しかしながら、水槽内の水の汚れとガラス面の汚れは一週間に一度は清掃、洗浄しなければならない程汚れは早く、水の汚れを遅らせる決定的な手段はなく、人的手段により水槽の洗浄と水入れ替えを頻繁に繰り返す困難な作業と、大変な労力が強いられ高額な費用負担となり、入っている魚貝類にも大きなストレスと負担がかかってしまう欠点があった。
【０００４】  本発明は、このような従来の問題点に着目して開発されたものであり、水槽内の魚介類に全く負担を与えず自然で強力な磁力が水に作用し、魚が排泄し微粒子化してしまう成分を、強力な磁気により微粒子化した排泄物を固形化し、沈澱させて水槽内の水の汚れ防止させる。沈澱し固形化した汚れ成分は、容易に溶解することなく簡単にとり出すことができ、従って、水の汚れと水槽のガラス面の汚れの付着は極度に少なくなり、水槽の清掃の従来の高額な人件費と水の入れ替えを極度に減少させることができ、常に清潔な状態で安心して安全な状態で魚介類の保存ができる水の汚れ防止装置を提供することを目的とすることで上記課題を解決する。
【課題を解決するための手段】
【０００５】  本発明は、淡水或は海水の魚介類保存水槽の水の汚れやガラス面の汚れ付着により頻繁に洗浄と水の入れ替えを強いられるが、本装置を投入することで水に磁気帯びさせ水の微粒子成分を固形化させ沈殿させる水の汚れ防止装置をステンレス綾織網又は樹脂製を用いた籠を具備する。
【０００６】  本装置は、初期費用は安価で入手し易く、水槽内の置場は問わず、籠が汚れた場合は、水層から取り出し水洗いし再び投入すればその効果が発揮し、従来の水槽の汚れ落とし清掃や水の入れ替えが極度に削減させることができ、従来のシステムを変わりなく利用でき、尚、作業行程の削減並びに人件費及び水の購入費用の削減を実現させ更に安全衛生を高めて良質の生鮮魚介類の確保が出来、これにより上記課題を解決するものである。
【０００８】  本装置は、海水、水道水、純水、蒸留水、天然温泉水、井水、河川水等多種な水に対応できる。
【発明を実施するための形態】
図１に示すように、市販されている従来水槽に本装置を投入するだけで、水槽内の水に磁気を帯びさせ、水の汚れの微粒子成分を固形化することにより水の汚れが解消できる。
【０００９】  上記により従来大変だった水槽の清掃及び水の入れ替え作業行程が簡略出来、化学薬品や動力源を用いないために特に電気等の管理をする必要もなく、更に装置の籠が汚れた場合は水槽から籠を取り出し水洗いすればよく、本装置投入することにより次亜塩素酸ナトリュウムによる残留塩素等の成分も減少し淡水魚はより安全性が増す。
【図面の簡単な説明】
【図１】  本発明に係る水の汚れ防止装置水槽内設置図。
【図２】  本発明に係る水の汚れ防止装置ケ−ス図。
【図３】  本発明に係る水の汚れ防止装置最上部平面詳細図。
【図４】  本発明に係る水の汚れ防止装置磁力板詳細図。（Ａ〜Ａ断面図）
【図５】  本発明に係る水の汚れ防止装置断面詳細図。（Ｂ〜Ｂ断面図）３段タイプ
【図６】  本発明に係る水の汚れ防止装置磁気リング断面詳細図。
【図７】  本発明に係る水の汚れ防止装置断面詳細図。２段タイプ
【図８】  本発明に係る水の汚れ防止装置展開詳細図。２段タイプ
【図９】  本発明に係る水の汚れ防止装置展開詳細図。２段タイプ
【符号の説明】  １・・・鮮魚保存水槽
２・・・水汚れ防止装置（ケ−ス内収納）
３・・・常水面を示す
４・・・装置収納ケ−ス上蓋部（ステンレス綾織籠）
５・・・装置収納ケ−ス下部・側部（ステンレス綾織籠）
６・・・端面固定板（ＳＵＳ製）
７・・・磁気を有する金属の板材（ＳＵＳ製）
８・・・４軸磁気処理機の支持軸用ボルト・ナット（ＳＵＳ製）
９・・・強力磁石（ＳＵＳ製）
１０・・・水通路
【図１】
2010201407.tif 000003
【図２】
2010201407.tif 000004
【図３】
2010201407.tif 000005
【図４】
2010201407.tif 000006
【図５】
2010201407.tif 000007
【図６】
2010201407.tif 000008
【図７】
2010201407.tif 000009
【図８】
2010201407.tif 000010
【図９】
2010201407.tif 000011